(57)【要約】【解決手段】上部フレーム１と底部２とはね上げ側壁３と上部分割側壁４’と下部分割側壁４”とからなる折り畳みコンテナーにおいて、前記両分割側壁に、係合突条５ｃが突設された挿入片５ｂを有する分割側壁側係合部材５を形成するとともに、前記はね上げ側壁には、前記挿入片が挿入可能な凹部６’及び前記係合突条が挿入可能な嵌合透孔６ｆを有するはね上げ側壁側嵌合部材６を形成したものである。【効果】両分割側壁に、係合突条が突設された挿入片を有する分割側壁側係合部材を形成するとともに、はね上げ側壁には、上記挿入片が挿入可能な凹部及び上記係合突条が挿入可能な嵌合透孔を有するはね上げ側壁側嵌合部材を形成したので、箱型に組み立てられた状態のはね上げ側壁が、簡単には、内部方向に回動するようなことがない。【選択図】図４
2006188268.tif 000002
【特許請求の範囲】
【請求項１】
上部フレームと底部とはね上げ側壁と上部分割側壁と下部分割側壁とからなる折り畳みコンテナーにおいて、前記両分割側壁には、係合突条が突設された挿入片を有する分割側壁側係合部材が形成されているとともに、前記はね上げ側壁には、前記挿入片が挿入可能な凹部及び前記係合突条が挿入可能な嵌合透孔を有するはね上げ側壁側嵌合部材が形成されていることを特徴とする折り畳みコンテナー。
【発明の詳細な説明】
【技術分野】
【０００１】
本発明は、種々の物品の保管、輸送或いは搬送等に使用される折り畳みコンテナーに関するものである。
【背景技術】
【０００２】
図５〜図８を用いて、従来の折り畳みコンテナーについて説明する。
【０００３】
折り畳みコンテナーは、上部フレーム１と、底部２と、上部フレーム１にその上端部がヒンジ連結された、折り畳みコンテナーの内側方向に回動可能な側壁（以下、この側壁を、はね上げ側壁という。）３と、上下に分割されているとともに、適当なヒンジ部を介して連結された上部分割側壁４’と下部分割側壁４”とから構成されており、且つ、上部分割側壁４’の上端部が、上部フレーム１にヒンジ連結されており、また、下部分割側壁４”の下端部が、底部２にヒンジ連結されている。
【０００４】
図５に示されている箱型状態の折り畳みコンテナーの略垂直状のはね上げ側壁３を、折り畳みコンテナーの内部方向に回動させて、図６に示されているように、略水平状態とし、次いで、上部分割側壁４’と下部分割側壁４”を連結しているヒンジ部を、折り畳みコンテナーの内部方向に移動させて、上部分割側壁４’と下部分割側壁４”とを重ねることにより、箱型状態の折り畳みコンテナーを、図７に示されているように、高さの低いコンパクトな状態に折り畳むことができるように構成されている。また、底部２に対して上部フレーム１を持ち上げて、略水平状態に重ねられている上部分割側壁４’と下部分割側壁４”を、互いに略面一になるように略垂直に立て、次いで、上部フレーム１に、その上端部がヒンジ連結されているはね上げ側壁３を、略水平状態から垂直方向に回動させることにより、折り畳まれた状態の折り畳みコンテナーを、箱型に組み立てるように構成されている。
【０００５】
図６及び図８に示されているように、上部分割側壁４’及び下部分割側壁４”の両分割側壁４’、４”の左右方向の端壁側４ａには、端側壁４ａを、内側に延長することにより形成された、両分割側壁４’、４”の内面４ｂに垂直な略方形状の板状突片５ａと、板状突片５ａの先端から、内面４ｂに略平行に延在する挿入片５ｂとからなる分割側壁側係合部材５が、それぞれ、１個ずつ形成されている。なお、４ｃは、分割側壁側係合部材５を成形するために金型が挿入された透孔である。
【０００６】
一方、はね上げ側壁３の左右方向の端部には、はね上げ側壁３の一部を、外側から内側方向に凹ますことにより形成された凹部６’を有するはね上げ側壁側嵌合部材６が、両分割側壁４’、４”に形成された分割側壁側係合部材５に対応して、上下方向に、それぞれ２個ずつ形成されている。
【０００７】
折り畳まれた状態の折り畳みコンテナーを、箱型に組み立てる際には、上述したように、上部分割側壁４’と下部分割側壁４”が、互いに略面一になるように略垂直に立てられた後、はね上げ側壁３を、略水平状態から垂直方向に回動させることになるが、はね上げ側壁３が略垂直に回動された時点で、はね上げ側壁３に形成された嵌合部材６の凹部６’に、両分割側壁４’、４”に形成された分割側壁側係合部材５の挿入片５ｂが挿入されるように構成されている。このように構成することにより、箱型への組み立て作業の際に、はね上げ側壁３の位置決めを行うことができるとともに、上部分割側壁４’及び下部分割側壁４”に上方や側方から負荷が加わった際に、上部分割側壁４’及び下部分割側壁４”が、外側に膨出するようなことを防止することができる。
【０００８】
上述したような構成を有する折り畳みコンテナーは、特許文献１に開示されている。
【０００９】
また、箱型に組み立てられた状態において、はね上げ側壁３が、簡単には、折り畳みコンテナーの内部方向に回動しないように、はね上げ側壁３が当接する突起を、上部分割側壁４’及び下部分割側壁４”に突設した折り畳みコンテナーが、特許文献２に開示されている。
【００１０】
【特許文献１】実用新案登録番号第２５００３３４号公報
【特許文献２】特許第３２３４９７５号公報
【発明の開示】
【発明が解決しようとする課題】
【００１１】
上述した従来の折り畳みコンテナーにおいては、はね上げ側壁３が略垂直に回動された際には、はね上げ側壁３に形成されたはね上げ側壁側嵌合部材６の凹部６’に、両分割側壁４’、４”に形成された分割側壁側係合部材５の挿入片５ｂが挿入されているだけであり、凹部６’が形成されているはね上げ側壁側嵌合部材６と分割側壁側係合部材５の挿入片５ｂとの間には、引っ掛かり等の係合関係がないので、簡単に、はね上げ側壁３が、折り畳みコンテナーの内部方向に回動してしまうという問題があった。
【００１２】
また、はね上げ側壁３が、上部分割側壁４’及び下部分割側壁４”に突設した突起に当接するようにした折り畳みコンテナーの場合には、折り畳み作業及び組み立て作業を繰り返し行う過程で、突起が摩耗し、その高さが低くなるために、はね上げ側壁３が、簡単に、折り畳みコンテナーの内部方向に回動してしまうという問題があった。
【００１３】
本発明の目的は、上述した従来の折り畳みコンテナーが有する課題を解決することにある。
【課題を解決するための手段】
【００１４】
本発明は、上述した目的を達成するために、上部フレームと底部とはね上げ側壁と上部分割側壁と下部分割側壁とからなる折り畳みコンテナーにおいて、前記両分割側壁に、係合突条が突設された挿入片を有する分割側壁側係合部材を形成するとともに、前記はね上げ側壁には、前記挿入片が挿入可能な凹部及び前記係合突条が挿入可能な嵌合透孔を有するはね上げ側壁側嵌合部材を形成したものである。
【発明の効果】
【００１５】
両分割側壁に、係合突条が突設された挿入片を有する分割側壁側係合部材を形成するとともに、はね上げ側壁には、上記挿入片が挿入可能な凹部及び上記係合突条が挿入可能な嵌合透孔を有するはね上げ側壁側嵌合部材を形成したので、箱型に組み立てられた状態のはね上げ側壁が、簡単には、内部方向に回動するようなことがない。
【００１６】
また、両分割側壁に、係合突条が突設された挿入片を有する分割側壁側係合部材を形成するとともに、はね上げ側壁には、上記挿入片が挿入可能な凹部及び上記係合突条が挿入可能な嵌合透孔を有するはね上げ側壁側嵌合部材を形成したので、はね上げ側壁と両分割側壁とのがたつきを防止することができる。  
【発明を実施するための最良の形態】
【００１７】
以下に、本発明の実施例について説明するが、本発明の趣旨を越えない限り何ら、本実施例に限定されるものではない。
【００１８】
折り畳みコンテナーは、上述した従来の折り畳みコンテナーと同様に、上部フレーム１と、底部２と、上部フレーム１にその上端部がヒンジ連結された、折り畳みコンテナーの内側方向に回動可能に構成されたはね上げ側壁３と、互いにヒンジ連結された上部分割側壁４’と下部分割側壁４”とから構成されている。これら、上部フレーム１、底部２、はね上げ側壁３、上部分割側壁４’及び下部分割側壁４”は、それぞれ、合成樹脂で一体に成形されている。
【００１９】
本発明は、以下に説明するように、上部分割側壁４’及び下部分割側壁４”の両分割側壁４’、４”に形成された分割側壁側係合部材５及びはね上げ側壁３に形成されたはね上げ側壁側嵌合部材６の構成が一部相違する以外は、上述した従来の折り畳みコンテナーとは実質的に同じであるので、以下においては、同じ構成については、その詳細な説明は省略するとともに、同じ構成部材については、同じ符号が付されている。
【００２０】
本発明においても、上述した折り畳みコンテナーと同様に、両分割側壁４’、４”の内面４ｂに垂直な略方形状の板状突片５ａと、板状突片５ａの先端から、内面４ｂに略平行に延在する挿入片５ｂとからなる分割側壁側係合部材５が形成されている。そして、本発明においては、挿入片５ｂの両分割側壁４’、４”の内面４ｂ側に位置する面に、両分割側壁４’、４”の高さ方向に沿って、係合突条５ｃが突設されている。係合突条５ｃは、その水平断面形状が半円形状或いは台形状に形成されていることが好ましい。板状突片５ａと挿入片５ｂとからなる分割側壁側係合部材５は、全体として、或いは、挿入片５ｂが弾性変形可能に構成されている。
【００２１】
また、本発明においても、上述した折り畳みコンテナーと同様に、はね上げ側壁３の左右方向の端部には、はね上げ側壁３の一部を、外側から内側方向に凹ますことにより形成された、はね上げ側壁３の外面３ａ側が開口された凹部６’を有するはね上げ側壁側嵌合部材６が形成されている。より具体的には、凹部６’は、外側壁部６ａと該外側壁部６ａと相対する内側壁部６ｂと奥壁部６ｃと天部６ｄと底部６ｅとにより形成されている。本発明においては、外側壁部６ａに、上述した分割側壁側係合部材５の挿入片５ｂに突設された係合突条５ｃが嵌合可能な略方形状の嵌合透孔６ｆが穿設されている。
【００２２】
次に、上部分割側壁４’及び下部分割側壁４”に形成された分割側壁側係合部材５とはね上げ側壁３に形成されたはね上げ側壁側嵌合部材６との係合工程について説明する。
【００２３】
折り畳まれた状態の折り畳みコンテナーを、箱型に組み立てるには、上述したように、先ず最初に、底部２に対して上部フレーム１を持ち上げて、略水平状態に重ねられている上部分割側壁４’と下部分割側壁４”を、互いに略面一になるように略垂直に立てる。その後、はね上げ側壁３を、略水平状態から垂直方向に回動させることになるが、はね上げ側壁３が略垂直に立てられる直前において、はね上げ側壁３の外側壁部６ａの先端面６ａ１が、先ず最初に、上部分割側壁４’に形成された分割側壁側係合部材５の挿入片５ｂに突設された係合突条５ｃに当接することになる。この状態から、更に、はね上げ側壁３を垂直方向に回動させると、上部分割側壁４’に形成された分割側壁側係合部材５の全体或いは挿入片５ｂが、はね上げ側壁３に形成されたはね上げ側壁側嵌合部材６の凹部６’を構成する内側壁部６ｂ方向に弾性変形しながら、分割側壁側係合部材５の挿入片５ｂが、はね上げ側壁側嵌合部材６の凹部６’に挿入されることになり、その後、はね上げ側壁側嵌合部材６の凹部６’を構成する外側壁部６ａに穿設された嵌合透孔６ｆと分割側壁側係合部材５の挿入片５ｂに突設された係合突条５ｃとが略一致した時点で、分割側壁側係合部材５の全体或いは挿入片５ｂの弾性復元力により、分割側壁側係合部材５の全体或いは挿入片５ｂが元の位置に戻ることにより、図４に示されているように、はね上げ側壁側嵌合部材６の凹部６’を構成する外側壁部６ａに穿設された嵌合透孔６ｆに、上部分割側壁４’に形成された分割側壁側係合部材５の挿入片５ｂに突設された係合突条５ｃが挿入されることになる。
【００２４】
同様に、はね上げ側壁３が略垂直に立てられる直前において、はね上げ側壁３の外側壁部６ａの先端面６ａ１が、先ず最初に、下部分割側壁４”に形成された分割側壁側係合部材５の挿入片５ｂに突設された係合突条５ｃに当接することになる。この状態から、更に、はね上げ側壁３を垂直方向に回動させると、下部分割側壁４”に形成された分割側壁側係合部材５の全体或いは挿入片５ｂが、はね上げ側壁３に形成されたはね上げ側壁側嵌合部材６の凹部６’を構成する内側壁部６ｂ方向に弾性変形しながら、分割側壁側係合部材５の挿入片５ｂが、はね上げ側壁側嵌合部材６の凹部６’に挿入されることになり、その後、はね上げ側壁側嵌合部材６の凹部６’を構成する外側壁部６ａに穿設された嵌合透孔６ｆと分割側壁側係合部材５の挿入片５ｂに突設された係合突条５ｃとが略一致した時点で、分割側壁側係合部材５の全体或いは挿入片５ｂの弾性復元力により、分割側壁側係合部材５の全体或いは挿入片５ｂが元の位置に戻ることにより、図４に示されているように、はね上げ側壁側嵌合部材６の凹部６’を構成する外側壁部６ａに穿設された嵌合透孔６ｆに、下部分割側壁４”に形成された分割側壁側係合部材５の挿入片５ｂに突設された係合突条５ｃが挿入されることになる。
【００２５】
上述したように、折り畳みコンテナーが箱型に組み立てられた状態においては、上部分割側壁４’及び下部分割側壁４”の両分割側壁４’、４”に形成された分割側壁側係合部材５の挿入片５ｂが、はね上げ側壁側嵌合部材６の凹部６’に挿入されているとともに、はね上げ側壁側嵌合部材６の凹部６’を構成する外側壁部６ａに穿設された嵌合透孔６ｆに、両分割側壁４’、４”に形成された分割側壁側係合部材５の挿入片５ｂに突設された係合突条５ｃが挿入されているので、はね上げ側壁３が、内部方向に回動しようとした際には、はね上げ側壁３に形成された側壁側嵌合部材６の凹部６’を構成する外側壁部６ａの嵌合透孔６ｆ側の垂直端６ａ２が、両分割側壁４’、４”に形成された分割側壁側係合部材５の挿入片５ｂに突設された係合突条５ｃに当接するので、簡単には、はね上げ側壁３が、内部方向に回動するようなことがない。
【００２６】
また、折り畳みコンテナーが箱型に組み立てられた状態においては、はね上げ側壁側嵌合部材６の凹部６’を構成する外側壁部６ａに穿設された嵌合透孔６ｆに、上部分割側壁４’及び下部分割側壁４”の両分割側壁４’、４”に形成された分割側壁側係合部材５の挿入片５ｂに突設された係合突条５ｃが挿入されているので、はね上げ側壁３と両分割側壁４’、４”とのがたつきを防止することができる。
【００２７】
折り畳みコンテナーが箱型に組み立てられた状態から、はね上げ側壁３を、強く、内部方向に押圧して、分割側壁側係合部材５の全体或いは挿入片５ｂを、はね上げ側壁３方向に弾性変形させることにより、上部分割側壁４’及び下部分割側壁４”の両分割側壁４’、４”に形成された分割側壁側係合部材５の挿入片５ｂに突設された係合突条５ｃを、はね上げ側壁３に形成されたはね上げ側壁側嵌合部材６の凹部６’を構成する外側壁部６ａに穿設された嵌合透孔６ｆから排出させ、その後、はね上げ側壁３を、折り畳みコンテナーの内部方向に回動させて略水平状態とし、次いで、上述したように、上部分割側壁４’と下部分割側壁４”とを重ねることにより、箱型状態の折り畳みコンテナーを高さの低いコンパクトな状態に折り畳むことになる。
【図面の簡単な説明】
【００２８】
【図１】図１は、本発明の折り畳みコンテナーを構成するはねあげ側壁と分割側壁の部分拡大斜視図である。
【図２】図２は、はね上げ側壁側嵌合部材付近の水平断面を含む本発明の折り畳みコンテナーを構成するはねあげ側壁の部分拡大斜視図である。
【図３】図３は、本発明の折り畳みコンテナーが箱型に組み立てられる直前の分割側壁とはね上げ側壁の部分水平断面図である。
【図４】図４は、本発明の折り畳みコンテナーが箱型に組み立てられた状態の分割側壁とはね上げ側壁の部分水平断面図である。
【図５】図５は、箱型に組み立てられた状態の従来の折り畳みコンテナーの斜視図である。
【図６】図６は、折り畳み途中或いは組み立て途中の従来の折り畳みコンテナーの斜視図である。
【図７】図７は、折り畳まれた状態の従来の折り畳みコンテナーの斜視図である。
【図８】図８は、箱型に組み立てられた状態の従来の折り畳みコンテナーの分割側壁とはね上げ側壁の部分水平断面図である。
【符号の説明】
【００２９】
１・・・・・・・・上部フレーム
２・・・・・・・・底部
３・・・・・・・・はね上げ側壁
４’・・・・・・・上部分割側壁
４”・・・・・・・下部分割側壁
５・・・・・・・・分割側壁側係合部材
５ｂ・・・・・・・挿入片
５ｃ・・・・・・・係合突条
６・・・・・・・・はね上げ側壁側嵌合部材
６’・・・・・・・凹部
６ｆ・・・・・・・嵌合透孔
【図１】
2006188268.tif 000003
【図２】
2006188268.tif 000004
【図３】
2006188268.tif 000005
【図４】
2006188268.tif 000006
【図５】
2006188268.tif 000007
【図６】
2006188268.tif 000008
【図７】
2006188268.tif 000009
【図８】
2006188268.tif 000010